(57)【要約】【課題】表示装置と着脱自在に装着可能であり、表示装置又は外部表示装置への映像信号の変換回路の給電を停止することにより、省電可能となる再生装置及び表示装置を提供する。【解決手段】再生装置１を内蔵型表示装置２から着脱自在にする。ＨＤＭＩ規格のホットプラグ検出信号により、再生装置１の接続相手が内蔵型表示装置２と外部表示装置３とのいずれかを判定し、電源回路１１２から内部ＨＤＭＩトランスミッタ１５０又は外部ＨＤＭＩトランスミッタ１５１への給電を停止する。【選択図】図１
2010257517.tif 000002
【特許請求の範囲】
【請求項１】
記録媒体から映像信号を再生する再生装置において、
再生した映像信号を所定の規格の映像信号に変換する複数の変換回路と、
各変換回路により変換された映像信号を夫々出力する複数の端子と、
該端子に入力される所定の信号を検出する検出手段と、
各変換回路へ給電する電源回路と、
前記検出手段による検出結果に基づいて、前記電源回路から各変換回路への給電を制御する制御手段と
を備えることを特徴とする再生装置。
【請求項２】
前記制御手段は、
前記検出手段が前記所定の信号を検出した場合、該所定の信号を検出した端子以外の端子へ映像信号を出力する変換回路への給電を停止するようにしてある
ことを特徴とする請求項１に記載の再生装置。
【請求項３】
所定の制御信号を受信する受信部を備え、
前記検出手段が前記所定の信号を前記複数の端子の内の特定の端子から検出した場合、前記受信部が受信した所定の制御信号に基づく制御動作を行うようにしてある
ことを特徴とする請求項１又は請求項２に記載の再生装置。
【請求項４】
前記電源回路へ給電するための複数の受電端子を備える
ことを特徴とする請求項１から請求項３までのいずれか一項に記載の再生装置。
【請求項５】
筐体と、
該筐体の一面に配され、映像を表示する表示部と
を備える表示装置において、
前記筐体の一面に対向する面に他の装置を着脱自在に装着可能としてある
ことを特徴とする表示装置。
【請求項６】
筐体と、
該筐体の一面に配され、映像を表示する表示部と、
請求項１から請求項４までのいずれか一項に記載の再生装置と
を備え、
前記筐体の一面に対向する面に前記再生装置を着脱自在に装着している
ことを特徴とする表示装置。
【発明の詳細な説明】
【技術分野】
【０００１】
本発明は、映像の再生が可能な再生装置及び表示装置に関する。
【背景技術】
【０００２】
電気機器本体、自動車等に内蔵して使用する内蔵型の電気機器がある。例えば、前記内蔵型の電気機器として、表示装置に内蔵された再生装置が実用化されている。該再生装置は、表示装置と接続するケーブルが一切不要なので、煩わしい設定の手間が省け、配線の少ないすっきりした意匠が可能となっている。
前記内蔵型の電気機器の中には、電気機器本体、自動車等から着脱自在な構成としたものがある。例えば、特許文献１には自動車から着脱自在なカーステレオが開示されている。
【先行技術文献】
【特許文献】
【０００３】
【特許文献１】特開平６−２７５０５９号公報
【発明の概要】
【発明が解決しようとする課題】
【０００４】
しかしながら、再生装置を着脱自在とした再生装置内蔵型の表示装置は、従来知られていない。再生装置内蔵型の表示装置から分離した前記再生装置を外部表示装置に接続することにより、前記再生装置の利用機会は大幅に増大する。
尤も、前記再生装置が再生装置内蔵型の表示装置及び外部表示装置のために映像信号の変換回路を二つ備える場合、一方の表示装置のみを視聴するときには、両者の変換回路へ給電することは無駄である。
【０００５】
本発明はかかる事情に鑑みてなされたものであり、再生装置内蔵型の表示装置及び外部表示装置の内、映像信号を出力しない表示装置のための映像信号の変換回路については給電を制御することにより、省電が可能となる再生装置及び該再生装置を着脱自在に装着可能とする表示装置を提供することを目的とする。
【課題を解決するための手段】
【０００６】
本発明に係る再生装置は、記録媒体から映像信号を再生する再生装置において、再生した映像信号を所定の規格の映像信号に変換する複数の変換回路と、各変換回路により変換された映像信号を夫々出力する複数の端子と、該端子に入力される所定の信号を検出する検出手段と、各変換回路へ給電する電源回路と、前記検出手段による検出結果に基づいて、前記電源回路から各変換回路への給電を制御する制御手段とを備えることを特徴とする。
【０００７】
本発明に係る再生装置は、前記制御手段は、前記検出手段が前記所定の信号を検出した場合、該所定の信号を検出した端子以外の端子へ映像信号を出力する変換回路への給電を停止するようにしてあることを特徴とする。
【０００８】
本発明に係る再生装置は、所定の制御信号を受信する受信部を備え、前記検出手段が前記所定の信号を前記複数の端子の内の特定の端子から検出した場合、前記受信部が受信した所定の制御信号に基づく制御動作を行うようにしてあることを特徴とする。
【０００９】
本発明に係る再生装置は、前記電源回路へ給電するための複数の受電端子を備える
ことを特徴とする。
【００１０】
本発明に係る表示装置は、筐体と、該筐体の一面に配され、映像を表示する表示部とを備える表示装置において、前記筐体の一面に対向する面に他の装置を着脱自在に装着可能としてあることを特徴とする。
【００１１】
本発明に係る表示装置は、筐体と、該筐体の一面に配され、映像を表示する表示部と、上述のいずれか一つの再生装置とを備え、前記筐体の一面に対向する面に前記再生装置を着脱自在に装着していることを特徴とする。
【００１２】
本発明にあっては、記録媒体から映像信号を再生する。複数の変換回路は、再生された映像信号を所定の規格の映像信号に変換し、複数の端子は、各変換回路により変換された映像信号を夫々出力する。検出手段は、各端子に入力される所定の信号を検出する。電源回路は各変換回路へ給電をする。制御手段は、前記検出手段による検出結果に基づいて、前記電源回路から各変換回路への給電を制御する。
【００１３】
本発明にあっては、前記検出手段により、前記所定の信号が検出された場合、該所定の信号が検出された端子以外の端子へ映像信号を出力する前記変換回路への給電が停止される。
【００１４】
本発明にあっては、所定の制御信号を受信する受信部を備えている。前記検出手段が前記所定の信号を前記複数の端子の内の特定の端子から検出した場合、前記受信部が受信した前記所定の制御信号に基づいて、本発明に係る再生装置は制御動作を行う。
【００１５】
本発明にあっては、前記電源回路へ給電するための複数の受電端子を備えており、複数の受電方式に対応する。
【００１６】
本発明にあっては、筐体と表示部とを備えている表示装置である。前記表示部は前記筐体の一面に配されている。前記筐体の一面に対向する面は、他の装置を着脱自在に装着することができる。
【００１７】
本発明にあっては、筐体と、表示部と、上述のいずれか一つの再生装置とを備える表示装置である。前記表示部は前記筐体の一面に配されている。前記筐体の一面に対向する面は、前記再生装置を着脱自在に装着している。
【発明の効果】
【００１８】
本発明に係る再生装置及び表示装置は、省電が可能であり、着脱自在に装着可能である。
【図面の簡単な説明】
【００１９】
【図１】再生装置の構成を示すブロック図である。
【図２】内蔵型表示装置から分離した再生装置を内蔵型表示装置の背面から示した説明図である。
【図３】内蔵型表示装置から分離した再生装置を内蔵型表示装置の側面から示した説明図である。
【図４】内蔵型表示装置から分離中の再生装置を内蔵型表示装置の背面から示した説明図である。
【図５】再生装置及び外部表示装置が接続されている状態を示す説明図である。
【図６】内蔵型表示装置の構成を示すブロック図である。
【図７】給電を停止する判定と、再生装置の動作を制御する判定とに係る手順を示したフローチャートである。
【発明を実施するための形態】
【００２０】
以下、本発明の実施形態を、図面を参照して説明する。
図１は、再生装置１の構成を示すブロック図である。本発明の実施形態に係る再生装置１は、内部コネクタ１１０、外部コネクタ１１１、電源回路１１２、再生部１２０、信号処理部１３０、再生装置制御部１４０、内部ＨＤＭＩ（High Definition Multimedia Interface）トランスミッタ１５０、外部ＨＤＭＩトランスミッタ１５１、内部ＨＤＭＩコネクタ１６０、外部ＨＤＭＩコネクタ１６１及び再生装置受光部１７０を含んで構成される。
【００２１】
内部コネクタ１１０は、再生装置１が内蔵型表示装置２に装着されている場合、内蔵型表示装置２から、直流電圧、例えばＤＣ１５Ｖの給電を再生装置１が受けるための端子である。
外部コネクタ１１１は、再生装置１が内蔵型表示装置２から分離された場合、図示しないＡＣアダプタから、直流電圧、例えばＤＣ１５Ｖの給電を再生装置１が受けるための端子である。
【００２２】
電源回路１１２は、内部コネクタ１１０又は外部コネクタ１１１から取り入れた直流電圧を所定の直流電圧に変換する。電源回路１１２は、変換した直流電圧を内部ＨＤＭＩトランスミッタ１５０及び外部ＨＤＭＩトランスミッタ１５１等へ給電するように構成されている。
【００２３】
再生部１２０は、例えばＢＤ（Blu-ray Disc）ドライブ、ＤＶＤ（Digital Versatile Disc）ドライブ等であり、光ディスク８に対して映像信号の記録／再生を行う。ここで、記録／再生とは、記録及び再生あるいは記録又は再生の意味である。再生部１２０は、例えばＡＴＡＰＩ（AT Attachment Packet Interface）により、信号処理部１３０と接続してある。再生部１２０は、再生された映像信号を信号処理部１３０へ出力する。該映像信号は、圧縮されている。また、圧縮された映像信号が信号処理部１３０から再生部１２０へ入力され、その後再生部１２０は前記映像信号を光ディスク８に記録する。
【００２４】
信号処理部１３０は、再生部１２０からの圧縮された映像信号を伸張して、内部ＨＤＭＩトランスミッタ１５０又は外部ＨＤＭＩトランスミッタ１５１へ出力する。
また、信号処理部１３０は、内部ＨＤＭＩトランスミッタ１５０又は外部ＨＤＭＩトランスミッタ１５１からの伸張された映像信号を圧縮して、再生部１２０へ出力する。
【００２５】
内部ＨＤＭＩトランスミッタ１５０は、信号処理部１３０からの映像信号をＨＤＭＩ規格の映像信号に変換して、内部ＨＤＭＩコネクタ１６０に出力する変換回路である。この変換は、例えば映像信号について、低電圧差動信号への変換及びパラレルデータからシリアルデータへの変換等が含まれる。また、再生装置１が内蔵型表示装置２のレシーバとして機能する場合には、内部ＨＤＭＩトランスミッタ１５０は、内部ＨＤＭＩコネクタ１６０からのＨＤＭＩ規格の映像信号を、元の映像信号へ変換する。
外部ＨＤＭＩトランスミッタ１５１は、内部ＨＤＭＩトランスミッタ１５０と同様に、再生部１２０と外部表示装置３との間で映像信号の変換を行う変換回路である。
内部ＨＤＭＩトランスミッタ１５０及び外部ＨＤＭＩトランスミッタ１５１は、高周波信号を扱うため、チップの種類によっては消費電力がたいへん大きい。
【００２６】
内部ＨＤＭＩコネクタ１６０は、ＨＤＭＩ規格の映像信号を内蔵型表示装置２との間で入出力する入出力端子である。内部ＨＤＭＩコネクタ１６０は、内部ＨＤＭＩケーブル２ｃを介して内蔵型表示装置２と接続される。
外部ＨＤＭＩコネクタ１６１は、ＨＤＭＩ規格の映像信号を外部表示装置３との間で入出力する入出力端子である。外部ＨＤＭＩコネクタ１６１は、外部ＨＤＭＩケーブル３ｃを介して外部表示装置３と接続される。
内部ＨＤＭＩコネクタ１６０及び外部ＨＤＭＩコネクタ１６１は、夫々内蔵型表示装置２及び外部表示装置３から、ＨＤＭＩ規格のホットプラグ検出信号及びＤＤＣ（Display Data Channel）信号を入力する。ホットプラグ検出信号は、電気機器同士がＨＤＭＩ接続されている場合、一方の電気機器から他方の電気機器へ入力される所定のハイレベル信号である。ＤＤＣ信号は、パソコン等の電気機器が表示装置とＨＤＭＩ接続されている場合、表示装置が備えるＥＤＩＤ（Extended Display Identification Data）の固有情報を表示装置から電気機器へ伝える信号である。ＥＤＩＤは、例えば表示装置が１秒間に画面を書き換える回数を示す周波数、表示装置の解像度、製造メーカ名及び型式等である。
【００２７】
内部ＨＤＭＩケーブル２ｃ及び外部ＨＤＭＩケーブル３ｃは、夫々振動、外力等により内部ＨＤＭＩコネクタ１６０及び外部ＨＤＭＩコネクタ１６１から抜けないように、ネジ、ツメ等で固定される。内部ＨＤＭＩコネクタ１６０及び内部ＨＤＭＩケーブル２ｃの固定は、外部ＨＤＭＩコネクタ１６１及び外部ＨＤＭＩケーブル３ｃの固定よりも頑強に構成してある。再生装置１を内蔵型表示装置２に装着した状態で出荷する場合、流通段階での振動、外力等により内部ＨＤＭＩコネクタ１６０及び内部ＨＤＭＩケーブル２ｃの接続部が変形又は破壊を被らないようにするためである。
【００２８】
再生装置制御部１４０は、再生装置１の各構成部を制御する。また、再生装置制御部１４０は、内部ＨＤＭＩコネクタ１６０又は外部ＨＤＭＩコネクタ１６１を介して夫々内蔵型表示装置２又は外部表示装置３との間でＨＤＭＩ規格に含まれるＣＥＣ（Consumer Electronics Control）信号を入出力する。これにより、再生装置１と、内蔵型表示装置２又は外部表示装置３との間で連携動作が実現する。連携動作とは、再生装置１が内蔵型表示装置２又は外部表示装置３の動作を制御すると共に、内蔵型表示装置２又は外部表示装置３が再生装置１の動作を制御することである。
再生装置制御部１４０と信号処理部１３０とは、ＵＡＲＴ（Universal Asynchronous Receiver Transmitter）、ＵＳＡＲＴ（Universal Synchronous and Asynchronous Receiver and Transmitter）等で通信を行う。
【００２９】
再生装置制御部１４０は、内部ＨＤＭＩコネクタ１６０及び外部ＨＤＭＩコネクタ１６１に入力されるＨＤＭＩ規格のホットプラグ検出信号から、内蔵型表示装置２及び外部表示装置３がＨＤＭＩ接続されているコネクタが夫々内部ＨＤＭＩコネクタ１６０及び外部ＨＤＭＩコネクタ１６１のいずれであるか判定する。また、再生装置制御部１４０は、内部ＨＤＭＩコネクタ１６０及び外部ＨＤＭＩコネクタ１６１に入力されるＨＤＭＩ規格のＤＤＣ信号から、内蔵型表示装置２及び外部表示装置３の周波数及び解像度を入手する。
【００３０】
再生装置制御部１４０は、電源回路１１２に対する制御を通して、電源回路１１２から内部ＨＤＭＩトランスミッタ１５０及び外部ＨＤＭＩトランスミッタ１５１への給電を制御する。
【００３１】
再生装置リモコン１ｂは、再生装置１の動作を制御する制御信号を、赤外線通信により再生装置受光部１７０へ送信する遠隔操作装置である。
【００３２】
再生装置受光部１７０は、再生装置リモコン１ｂから赤外線通信を介して前記制御信号を受信する。再生装置受光部１７０は、受信した前記制御信号を再生装置制御部１４０へ出力する。
【００３３】
図２は、内蔵型表示装置２から分離した再生装置１を内蔵型表示装置２の背面から示した説明図である。図３は、内蔵型表示装置２から分離した再生装置１を内蔵型表示装置２の側面から示した説明図である。図４は、内蔵型表示装置２から分離中の再生装置１を内蔵型表示装置２の背面から示した説明図である。
【００３４】
内蔵型表示装置２は、例えば薄型の表示装置であり、筐体２１の正面２１ａに映像表示部２６０を備えている。再生装置１は、内蔵型表示装置２の筐体２１の正面２１ａと対向する背面２１ｂ側に装着される。再生装置１が装着される再生装置装着部の背面２１ｂにおける位置は、再生装置１の着脱操作及び再生装置１への光ディスク８の挿入操作の便宜を考慮して、背面２１ｂ上部側端にしてある。なお、内蔵型表示装置２の筐体２１における再生装置装着部の位置は、背面２１ｂ上部側端に限られるものではなく、操作性、美観等を考慮して適切な位置に設ければよい。
【００３５】
再生装置１を内蔵型表示装置２に装着するときに、内蔵型表示装置２と対向する再生装置１の筐体面には、突出した２本のレール１ａ、１ａが装着時に略水平となる方向に設けられている。レール１ａ、１ａの長さは、装着時に略水平となる方向に沿った再生装置１の筐体の幅と略同一である。レール１ａ、１ａの断面形状は台形をなし、装着時の再生装置１から内蔵型表示装置２へ向かってレール１ａ、１ａの幅が広くなるように構成されている。レール１ａ、１ａの幅は、快適に着脱操作が可能であり、支障が生じない程度であれば、どのような大きさでもよい。
【００３６】
内蔵型表示装置２の再生装置装着部には、レール１ａ、１ａを嵌合可能とする２本のガイド溝２ａ、２ａが略水平方向に形成されている。ガイド溝２ａ、２ａの断面形状は、レール１ａ、１ａを嵌合可能とすべく、レール１ａ、１ａの断面形状と略同一にしてある。ガイド溝２ａ、２ａの長さ及び幅は、夫々レール１ａ、１ａの長さ及び幅と略同一である。
内蔵型表示装置２の再生装置装着部の奥端には、再生装置１用の内部ＤＣ電源コード２ｂ及び内部ＨＤＭＩケーブル２ｃが取り付けられている。
【００３７】
再生装置１を内蔵型表示装置２の背面２１ｂに対して略平行に、略水平方向かつ再生装置装着部の奥端方向へスライドさせて、レール１ａ、１ａをガイド溝２ａ、２ａに嵌合させることにより、再生装置１は内蔵型表示装置２に装着される。
内蔵型表示装置２に対する再生装置１の装着が完了する前に、内部ＤＣ電源コード２ｂ及び内部ＨＤＭＩケーブル２ｃを夫々内部コネクタ１１０及び内部ＨＤＭＩコネクタ１６０に接続する。該接続が完了したときに、再生装置１をさらにスライドさせて、完全に再生装置１を内蔵型表示装置２に装着する。
【００３８】
再生装置１を内蔵型表示装置２から分離するときは、上記と逆の手順になる。再生装置１を内蔵型表示装置２の背面２１ｂに対して略平行に、略水平方向かつ再生装置１から離れる方向へ少しスライドさせる。現れた内部ＤＣ電源コード２ｂ及び内部ＨＤＭＩケーブル２ｃを、夫々内部コネクタ１１０及び内部ＨＤＭＩコネクタ１６０から解除する。その後、再生装置１をさらにスライドさせて前記レール１ａ、１ａとガイド溝２ａ、２ａとの嵌合を解除することにより、再生装置１は内蔵型表示装置２から完全に分離する。
【００３９】
図５は、再生装置１及び外部表示装置３が接続されている状態を示す説明図である。分離した再生装置１を単体として使用する場合には、再生装置１の外部コネクタ１１１とＡＣアダプタ１ｃとを外部ＤＣ電源コード３ｂを用いて接続する。また、再生装置１の外部ＨＤＭＩコネクタ１６１と外部表示装置３とを外部ＨＤＭＩケーブル３ｃで接続する。かかる場合、再生装置１の制御は、再生装置リモコン１ｂ又は図示しない再生装置の操作部により行う。あるいは、再生装置１の制御は、ＣＥＣ信号を介して外部表示装置３から行う。
【００４０】
図６は、内蔵型表示装置２の構成を示すブロック図である。内蔵型表示装置２は、電源回路２１０、ＨＤＭＩコネクタ２２０、ＨＤＭＩトランスミッタ２３０、テレビ信号処理部２４０、セレクタ部２５０、映像表示部２６０、音声出力部２６１、内蔵型表示装置制御部２７０、内蔵型表示装置受光部２８０及び内蔵型表示装置リモコン２ｄを含んで構成される。
【００４１】
電源回路２１０は、商用電源９に接続されており、内蔵型表示装置２の各構成部に給電する。
【００４２】
ＨＤＭＩコネクタ２２０は、ＨＤＭＩ規格の映像信号を内蔵型表示装置２及び再生装置１との間で入出力する入出力端子である。ＨＤＭＩコネクタ２２０は、内部ＨＤＭＩケーブル２ｃを介して再生装置１と接続される。
【００４３】
ＨＤＭＩトランスミッタ２３０は、ＨＤＭＩコネクタ２２０からのＨＤＭＩ規格の映像信号を元の映像信号へ変換する変換回路である。また、ＨＤＭＩトランスミッタ２３０は、テレビ信号処理部２４０からの映像信号をＨＤＭＩ規格の映像信号に変換する。
【００４４】
テレビ信号処理部２４０は、デジタルテレビジョン放送の信号から映像及び音声を含むデータを分離し、分離して得られた映像データ及び音声データを夫々映像信号及び音声信号に復号する。また、テレビ信号処理部２４０は、映像データ及び音声データに付加されている時間情報に基づいて映像信号及び音声信号を時間的に同期させてセレクタ部２８へ出力する。
さらに、テレビ信号処理部２４０は、復調器の機能を有し、アナログテレビジョン放送の映像信号及び音声信号を受信する。テレビ信号処理部２４０は、受信したアナログの映像信号及び音声信号をセレクタ部２５０へ出力する。
【００４５】
セレクタ部２５０は、再生装置１から入力された映像信号及び音声信号を出力するか、テレビ信号処理部２４０から入力された映像信号及び音声信号を出力するかを、内蔵型表示装置制御部２７０の制御信号により選択する。
【００４６】
映像表示部２６０は、例えば図示しない液晶パネル、有機ＥＬ（Electro-Luminescence）ディスプレイ、プラズマディスプレイ等の画面を備え、セレクタ部２５０から入力された映像信号を処理して前記画面に映像を表示する。音声出力部は、図示しないスピーカを備え、セレクタ部２５０から入力された音声信号を処理してスピーカから音声を出力する。
【００４７】
内蔵型表示装置制御部２７０は、内蔵型表示装置２の各構成部を制御する。内蔵型表示装置制御部２７０はＨＤＭＩコネクタ２２０を介して再生装置１との間でＨＤＭＩ規格のＣＥＣ信号を入出力する。これにより、内蔵型表示装置２及び再生装置１の間で連携動作が実現する。
また、内蔵型表示装置制御部２７０は、ＤＤＣ信号を介して、映像表示部２６０に関するＥＤＩＤをＨＤＭＩコネクタ２２０から再生装置１へ出力する。
【００４８】
内蔵型表示装置制御部２７０は、制御信号を電源回路２１０へ出力することにより、電源回路２１０から各構成部への給電の入切を制御する。
【００４９】
内蔵型表示装置リモコン２ｄは、電源ボタン、チャンネル変更ボタン等を有し、赤外線通信により制御信号を内蔵型表示装置受光部２８０へ送信する遠隔操作装置である。
内蔵型表示装置受光部２８０は、受信した前記制御信号を内蔵型表示装置制御部２７０へ出力する。内蔵型表示装置制御部２７０は、前記制御信号を検知してユーザによる操作を受け付ける。内蔵型表示装置制御部２７０は、前記制御信号が再生装置１への制御信号である場合、前記制御信号をＣＥＣにより再生装置１へ出力する。
【００５０】
図７は、給電を停止する判定と、再生装置１の動作を制御する判定とに係る手順を示したフローチャートである。
再生装置制御部１４０は、内部ＨＤＭＩコネクタ１６０及び外部ＨＤＭＩコネクタ１６１に入力されるホットプラグ検出信号を検出する（ステップＳ７１）。
【００５１】
再生装置制御部１４０は、内部ＨＤＭＩコネクタ１６０に入力されるホットプラグ検出信号に基づいて、再生装置１が内蔵型表示装置２と接続されているか否か判定する（ステップＳ７２）。再生装置制御部１４０は、再生装置１が内蔵型表示装置２と接続されていないと判定した場合（ステップＳ７２：ＮＯ）、外部ＨＤＭＩコネクタ１６１に入力されるホットプラグ検出信号に基づいて、再生装置１が外部表示装置３と接続されているか否か判定する（ステップＳ７３）。再生装置制御部１４０は、再生装置１が外部表示装置３と接続されていると判定した場合（ステップＳ７３：ＹＥＳ）、電源回路１１２から内部ＨＤＭＩトランスミッタ１５０への給電を停止する（ステップＳ７４）。再生装置制御部１４０は、外部表示装置３及び再生装置受光部１７０からの制御信号に基づいて、再生装置１の動作を制御し（ステップＳ７５）、処理を終える。
【００５２】
再生装置制御部１４０は、再生装置１が内蔵型表示装置２と接続されていると判定した場合（ステップＳ７２：ＹＥＳ）、外部ＨＤＭＩコネクタ１６１に入力されるホットプラグ検出信号に基づいて、再生装置１が外部表示装置３と接続されているか否か判定する（ステップＳ７６）。再生装置制御部１４０は、再生装置１が外部表示装置３と接続されていると判定した場合（ステップＳ７６：ＹＥＳ）、内部ＨＤＭＩコネクタ１６０に入力されるＤＤＣ信号と、外部ＨＤＭＩコネクタ１６１に入力されるＤＤＣ信号とに基づいて、内蔵型表示装置２の周波数及び解像度と、外部表示装置３の周波数及び解像度とが同じか否か判定する（ステップＳ７９）。
再生装置制御部１４０は、内蔵型表示装置２の周波数及び解像度と、外部表示装置３の周波数及び解像度とが同じと判定した場合（ステップＳ７９：ＹＥＳ）、電源回路１１２から内部ＨＤＭＩトランスミッタ１５０及び外部ＨＤＭＩトランスミッタ１５１の両者へ給電する（ステップＳ８０）。再生装置制御部１４０は、内蔵型表示装置２からの制御信号に基づいて、再生装置１の動作を制御し（ステップＳ８１）、処理を終える。
【００５３】
再生装置制御部１４０は、ステップＳ７３で再生装置１が外部表示装置３と接続されていないと判定した場合（ステップＳ７３：ＮＯ）、電源回路１１２から外部ＨＤＭＩトランスミッタ１５１への給電を停止する（ステップＳ７７）。
再生装置制御部１４０は、ステップＳ７６で再生装置１が外部表示装置３と接続されていないと判定した場合（ステップＳ７６：ＮＯ）、電源回路１１２から外部ＨＤＭＩトランスミッタ１５１への給電を停止する（ステップＳ７７）。
再生装置制御部１４０は、内蔵型表示装置２の周波数及び解像度と、外部表示装置３の周波数及び解像度とが同じでないと判定した場合（ステップＳ７９：ＮＯ）、電源回路１１２から外部ＨＤＭＩトランスミッタ１５１への給電を停止する（ステップＳ７７）。
再生装置制御部１４０は、内蔵型表示装置２からの制御信号に基づき、再生装置１の動作を制御し（ステップＳ７８）、処理を終える。
【００５４】
ステップＳ７４及びステップＳ７７では、消費電力の大きな内部ＨＤＭＩトランスミッタ１５０及び外部ＨＤＭＩトランスミッタ１５１への給電を切り分けているため、電源回路１１２から内部ＨＤＭＩトランスミッタ１５０及び外部ＨＤＭＩトランスミッタ１５１の両者へ給電されることはなく、省電効果が得られる。
【００５５】
ステップＳ７５では、外部表示装置３及び再生装置受光部１７０からの制御信号に基づいて再生装置１の動作を制御することにより、再生装置１は単体として動作可能である。
ステップＳ８１では、再生装置１は、内蔵型表示装置２及び外部表示装置３と接続されている状態にある。かかる場合、再生装置１は、内蔵型表示装置２からの制御信号に基づいて再生装置１の動作を制御するが、外部表示装置３及び再生装置受光部１７０からの制御信号に基づいて再生装置１の動作を制御しない。そのため、内蔵型表示装置２からの制御信号並びに外部表示装置３及び再生装置受光部１７０からの制御信号が競合することはない。
【００５６】
表示装置を複数台所有する家庭が普通である今日にあって、本発明のように内蔵型表示装置２に内蔵された再生装置１を着脱自在にして、外部表示装置３との接続を可能とした場合には、複数の再生装置１を購入する必要がなくなり、経済的である。
【００５７】
本実施形態では、再生装置と内蔵型表示装置及び外部表示装置とは、ＨＤＭＩインタフェースを介して接続されているが、例えばＵＳＢ、ＩＥＥＥ１３９４、Ｆｉｂｒｅ  Ｃｈａｎｎｅｌ等を介して接続されてもよい。
【００５８】
本実施形態では、再生装置と内蔵型表示装置及び外部表示装置とをＨＤＭＩ規格のインタフェースで接続しているため、再生装置は再生部が再生した映像信号をＨＤＭＩ規格に変換する内部ＨＤＭＩトランスミッタ及び外部ＨＤＭＩトランスミッタを備えている。しかし、再生装置と表示装置とを接続するインタフェース規格は、ＨＤＭＩ規格に限るものではなく、上述のようにＵＳＢ等でもよい。かかる場合、再生装置は、採用するインタフェース規格に対応した映像信号の変換回路であれば、どのような変換回路を備える構成としてもよい。
【００５９】
本実施形態では、再生装置及び外部表示装置は、デジタルインタフェースを介して接続されているが、アナログインタフェースを介して接続されてもよい。そこで、再生装置は、外部表示装置のための端子として、デジタルインタフェース端子の他に、アナログ用の映像及び音声入出力端子を別途設けたものであってもよい。あるいは、再生装置は、外部表示装置のための端子として、アナログ用の映像及び音声入出力端子のみを設けたものであってもよい。
【００６０】
本実施形態では、流通段間の振動等を考慮して、内部ＨＤＭＩコネクタ及び内部ＨＤＭＩケーブルの固定は、外部ＨＤＭＩコネクタ及び外部ＨＤＭＩケーブルの固定よりも頑強に構成してある。しかし、ユーザが本発明を使用する段階では、頻繁に再生装置の着脱を繰り返すユーザほど、頑強な固定手段の解除及び固定を煩わしく感じることが考えられる。そこで、内部ＨＤＭＩコネクタ及び外部ＨＤＭＩコネクタの内から映像信号の入出力端子をユーザが選択できる形態であってもよい。すなわち、映像信号の入出力端子を切り替えるスイッチ等を再生装置に設けることにより、ユーザは再生装置と内蔵型表示装置との接続箇所を自己の使用環境にカスタマイズすることができる。
また、内部ＨＤＭＩコネクタ及び内部ＨＤＭＩケーブルと、外部ＨＤＭＩコネクタ及び外部ＨＤＭＩケーブルとの固定は、同じ頑強さであってもよい。
【００６１】
本実施形態では、再生装置制御部は、電源回路に対する制御を通して、電源回路から内部ＨＤＭＩトランスミッタ及び外部ＨＤＭＩトランスミッタへの給電を制御する。しかし、再生装置制御部は、電源回路を介さずに、内部ＨＤＭＩトランスミッタ及び外部ＨＤＭＩトランスミッタに対する制御を通して、内部ＨＤＭＩトランスミッタ及び外部ＨＤＭＩトランスミッタの受電を制御してもよい。
【００６２】
本実施形態では、内部ＨＤＭＩトランスミッタへの給電を停止する場合（ステップＳ７４）、外部ＨＤＭＩトランスミッタへの給電を停止する場合（ステップＳ７７）、及び内部ＨＤＭＩトランスミッタと外部ＨＤＭＩトランスミッタとへ給電する場合（ステップＳ８０）の３通りを扱った。しかし、再生装置が内蔵型表示装置から分離され、ＡＣアダプタからＤＣ給電を受けている状態で、外部表示装置３と接続されていない場合（ステップＳ７３：ＮＯ）、内部ＨＤＭＩトランスミッタ及び外部ＨＤＭＩトランスミッタの両者への給電を停止するステップを追加した態様であってもよい。かかる場合、さらなる省電効果が得られる。
【００６３】
本実施形態では、再生装置は、縦置き型光ディスク装置として説明した。しかし、再生装置は、横置き型光ディスク装置であってもよい。
また、本実施形態では、再生装置は光ディスク装置としたが、再生装置はＨＤ（Hard Disc）装置であってもよい。
【００６４】
本実施形態では、再生装置が内蔵型表示装置から分離された場合、ＡＣアダプタからＤＣ給電を受ける外部コネクタを再生装置に設けた。しかし、再生装置は、外部コネクタを設ける形態ではなく、バッテリーから給電を受ける形態であってもよい。あるいは、再生装置は、外部コネクタ及びバッテリーを備える形態であってもよい。
【００６５】
本実施形態では、再生装置及び内蔵型表示装置の接続、並びに再生装置及び外部表示装置の接続は、夫々有線接続としたが、これに限るものではなく、無線接続としてもよい。
【００６６】
本実施形態では、再生装置及び内蔵型表示装置をレール及びガイド溝の嵌合によって着脱自在にしたが、磁石、ネジ等固定できるものであれば、どのような手段で着脱自在にしてもよい。
【００６７】
本実施形態では、再生装置受光部は、再生装置の正面に常に露出した状態で配置されている。しかし、再生装置受光部を再生装置リモコンが発する赤外線から遮蔽する遮蔽手段を再生装置又は内蔵型表示装置に設け、再生装置が内蔵型表示装置に装着されている場合には、前記遮蔽手段により再生装置受光部を遮蔽し、再生装置を内蔵型表示装置から分離して使用する場合には、再生装置受光部を露出させる態様であってもよい。
これにより、再生装置が内蔵型表示装置に装着されているときに、再生装置リモコンの制御信号と内蔵型表示装置リモコンの制御信号とが競合することを回避することができる。
【００６８】
本実施形態では、再生装置は制御信号を入力する再生装置受光部を有している。しかし、外部表示装置から入力するＨＤＭＩ規格のＣＥＣ信号により、再生装置の制御は可能である。そのため、再生装置受光部は必須の構成部ではない。
【００６９】
本実施形態では、内蔵型再生装置は、再生装置が内蔵型表示装置に装着されている場合と、再生装置が内蔵型表示装置から分離されている場合とで、再生装置への給電を停止する等の制御は行っていない。しかし、内蔵型表示装置制御部は、ＨＤＭＩコネクタに入力されるホットプラグ検出信号に基づいて、再生装置が内蔵型表示装置から分離されていると判断した場合、電源回路から再生装置への給電を停止する態様であってもよい。これにより、内蔵型再生装置の省電が実現する。
【００７０】
本実施形態は、いずれも本発明を実施するにあたっての具体化の一例を示したものに過ぎず、これによって本発明の技術的範囲が限定的に解釈されてはならないものである。すなわち、本発明はその精神又はその主要な特徴から逸脱することなく、様々な形で実施することができる。
【符号の説明】
【００７１】
１  再生装置
１ａ  レール
１ｂ  再生装置リモコン
１ｃ  ＡＣアダプタ
１１０  内部コネクタ
１１１  外部コネクタ
１１２  電源回路
１２０  再生部
１３０  信号処理部
１４０  再生装置制御部
１５０  内部ＨＤＭＩトランスミッタ
１５１  外部ＨＤＭＩトランスミッタ
１６０  内部ＨＤＭＩコネクタ
１６１  外部ＨＤＭＩコネクタ
１７０  再生装置受光部
２  内蔵型表示装置
２ａ  ガイド溝
２ｂ  内部ＤＣ電源コード
２ｃ  内部ＨＤＭＩケーブル
２１  筐体
２１ａ  正面
２１ｂ  背面
２６０  映像表示部
３  外部表示装置
３ｂ  外部ＤＣ電源コード
３ｃ  外部ＨＤＭＩケーブル
８  光ディスク（記録媒体）
【図１】
2010257517.tif 000003
【図２】
2010257517.tif 000004
【図３】
2010257517.tif 000005
【図４】
2010257517.tif 000006
【図５】
2010257517.tif 000007
【図６】
2010257517.tif 000008
【図７】
2010257517.tif 000009